【手続補正書】
【提出日】平成17年10月19日(2005.10.19)
【手続補正１】
【補正対象書類名】明細書
【補正対象項目名】特許請求の範囲
【補正方法】変更
【補正の内容】
【特許請求の範囲】
【請求項１】  顎／象牙質（６４，６５）において完成され一般に標準化されたインプラント表面（６２ａ，６３ａ）上に又はその近くに適用されることを意図されかつそれらの小さな外部寸法によって区別されるスペーサ（４２−４４）の選択物を利用可能にするための方法において、スペーサ選択物の大部分が下記製造工程によって製造されることを特徴とする方法：
ａ）第１工程において、チタン又は金属粉末、セラミック粉末、プラスチック粉末及び／又は合金粉末からなる又はそれらを含む多数の可能な粉末製剤のうちから粉末製剤（３−６）を選択する；
ｂ）第２工程において、半完成製品を形成するユニット（３１−３３）のために成形キャビティ（１２ａ，１３ａ，１４ａ，１５ａ）を有する成形用具（１２−１５）内に選択された粉末製剤を置く；
ｃ）第３工程において、それらの粉末充填された成形キャビティを有する成形用具を１以上の高圧発生装置（２１−２３）内に置き、その装置内で前記キャビティ内の粉末を圧縮し、前記圧縮工程後に成形用具を分離することにより固体稠度を有するユニットを形成する；
ｄ）第４工程において、ユニットを機械的に加工し（フライス削り、研削仕上など）、スペーサ（４２−４４）の最終形状を与える。
【請求項２】  ユニットが機械的加工後に熱処理（焼結）されることを特徴とする請求項１記載の方法。
【請求項３】  試験場所（４５）、例えば歯科医の治療場所、病院などに配置されたスペーサの異なる形状及び／又は組成のための１以上の試験装置を用いて、１以上の患者の顎／象牙質（６４，６５）において完成され一般に標準化された取付け表面（６２ａ，６３ａ）を有するインプラント上に適用されることができる異なるタイプのスペーサ（４２−４４）を製造するための方法において、異なる形状のスペーサ、又は完成されたスペーサ（４２−４４）に基づいた半完成製品を形成するユニット（３１−３３）が幾つかの試験場所を提供する製造サイトから注文されること、製造サイトがチタン又は金属粉末、セラミック粉末、プラスチック粉末及び／又は合金粉末からなりかつ各試験場所によって注文又は選抜される粉末組成物（３−６）を有すること、ユニットの形状を持つ成形キャビティを有する成形用具（１２−１５）が１以上の高圧発生装置（２１−２３）内に置かれ、その装置が活性状態において粉末を成形キャビティ中で圧縮し、成形用具が装置から除去され開放されることにより固体稠度を有する半完成製品ユニットを可能にすること（即ち、それらが機械的に加工されうること）、及び半完成製品ユニットがスペーサの最終又は所望の形状の製造のために、例えば問題の試験場所に及び／又は製造サイトに位置される機械加工装置（３６−３７）において機械的に加工されること（フライス削り、研削仕上など）を特徴とする方法。
【請求項４】  半完成製品ユニットが熱処理のために熱処理オーブン内に置かれることを特徴とする請求項３記載の方法。
【請求項５】  ユニット（３１−３３）の又はスペーサ（４２−４４）の形状及び／又は粉末製剤（３−６）が注文フォームによって公衆通信ネットワーク及び／又はコンピュータネットワーク（４９）上で注文されることを特徴とする請求項３又は４記載の方法。
【請求項６】  ユニットの又はスペーサの形状及び／又は粉末製剤を注文するとき、試験場所（４５）の第１コンピュータ装置（４８ａ）が通信及び／又はコンピュータネットワーク（インターネット）を介して機械加工装置（５５）又は製造サイト（５１）の第２コンピュータ装置（５２）との接触のために活性化されること、及び注文が第１及び第２コンピュータ装置（４８及び５２）を介して確立された接触を通して、例えば相互対話を通してなされることを特徴とする請求項３，４又は５記載の方法。
【請求項７】  試験場所（４５）、例えば歯科医の治療場所、病院、大学などから、１以上の患者の顎／象牙質上のインプラント表面（６２ａ，６３ａ）上に適用されることができるスペーサ（４２−４４）の選択物を注文するための装置であって、試験場所がスペーサの設計、組立及び／又は材料組成物のための１以上の試験装置（４８）を備え、試験場所が試験結果を照合し、これらを好ましくは通信及び／又はコンピュータネットワーク（４９）を介して製造サイト（５１）に送るための部材（４８）を有する場合において、製造サイト（５１）が主に強度及び／又は美学に関して異なる歯科状況においてスペーサに設定される条件に合致する粉末製剤（５３）を有すること、製造サイト（５１）がスペーサ（４２−４４）の最終又は所望の形状に基づいた半完成製品を形成するユニット（３１−３３）に対応する成形キャビティ（１２ａ，１３ａ，１４ａ，１５ａ）を有する成形用具のための製造手段及び／又は成形セット（５４）を有すること、製造サイトが粉末充填キャビティを有する前記成形用具を受け、圧力の適用及び成形用具の分離後に固体稠度を有するユニットが得られるような高い圧力に粉末を供することを意図され、かつ高圧で作動する装置（５６）を有すること、及び好ましくは問題の試験場所及び／又は製造サイトにある機械加工装置（５５）が好適には加熱オーブンにおける焼結又は熱処理後に、スペーサの最終形状を与えるために半完成製品ユニットに機械的に加工するように配置されていることを特徴とする装置。
【請求項８】  製造サイト（５１）が試験場所（４５）から粉末組成物を指示又は着手するための第１部材（５７）を有し、それが好ましくは製造サイト又は機械加工装置にある第２コンピュータ装置（５２）に結合されることができる第１コンピュータ装置（４８）を有し、好ましくはコンピュータ装置間の相互協調によって組成物を指示又は着手することができることを特徴とする請求項７記載の装置。
【請求項９】  前記第１部材が指示サイトから半完成製品ユニットの形状を選択又は注文するために配置されることを特徴とする請求項７又は８記載の装置。
【請求項１０】  １以上の患者の顎／象牙質（６４，６５）においてインプラント表面（６２ａ，６３ａ）上に又はその近くに適用されることができるスペーサの選択物に含まれるスペーサの製造のための装置であって、強度、美学などの見地から様々な条件がスペーサに設定される場合において、多数の高圧発生装置（２１，２３）が金属又はチタン粉末、セラミック粉末、プラスチック粉末及び合金粉末からなる粉末組成物のうちからそれらの各粉末組成物を収容するように配置されていること、受入部材がスペーサの実際の形状の、又はスペーサの形状に基づいた半完成製品を形成するユニットの形状及び粉末製剤に関する情報（ｉ１）を受け入れるために配置されていること、及び部材（５７）が受け入れた情報（ｉ１）の関数として粉末製剤を指示又は選択し、ユニットの形状に対応する成形キャビティを有する成形用具を指示又は表示するように配置されていること、及び機械加工装置（５５）が粉末充填成形キャビティを有する成形用具（５４）が前記高圧に供され分離され、好適には熱処理／焼結された後、スペーサの最終形状を与えるためにユニットに機械的に加工するように配置されていることを特徴とする装置。
【請求項１１】  １以上の患者の顎／象牙質においてインプラント表面（６２ａ，６３ａ）に適用されることを意図されるスペーサ（４２−４４）の選択物のための装置において、スペーサ選択物の大部分がインプラント（６２，６３）にスペーサを固定するねじのための貫通孔（６１）を有するスペーサからなること、スペーサが高圧によって圧縮されたチタン、セラミック、プラスチック及び／又は合金の粉末粒子からなること、及びスペーサが分割可能な成形用具（５９）によって製造を可能にする形状を持つようにされていることを特徴とする装置。
【請求項１２】  粉末粒子製剤が強度及び美学に関してスペーサに設定される条件の関数として選択されることを特徴とする請求項１１記載の装置。
【請求項１３】  スペーサの選択物が組み立てられた形状構成において及び／又は別々に機能する様々な測定変数を有する多数の基本デザインからなる多数の独自のスペーサからなることを特徴とする請求項１１又は１２記載の装置。
【請求項１４】  スペーサの選択物が様々な歯科状況において製造される特有のスペーサ形状構成からなることを特徴とする請求項１１〜１３のいずれか記載の装置。
【請求項１５】  高圧によって圧縮されることができかつチタン又は金属粒子、セラミック粒子、プラスチック粒子及び／又は合金粒子を含む粉末製剤からなるユニット（３１−３３）の使用において、ユニットが１以上の患者の顎／象牙質においてインプラント表面（６２ａ，６３ａ）に適用するためにスペーサ（４２−４４）に設定される形状を有する機械的に加工可能で（フライス削り可能、研削仕上可能など）、かつ好適には焼結された半完成製品として使用されることを特徴とするユニットの使用。
【請求項１６】  高圧によって圧縮されることができかつチタン又は金属粒子、セラミック粒子、プラスチック粒子及び／又は合金粒子を含む粉末製剤（５３）からなるユニットの使用において、ユニットが機械的加工（フライス削り、研削仕上など）及び好適には熱処理（焼結）後、１以上の患者の顎／象牙質において（一般に標準化された）インプラント表面に適用するために意図されたスペーサの選択物を形成するために使用されることを特徴とするユニットの使用。